(57)【要約】【課題】携帯電話端末等において数字キーだけを用いた簡易な操作で数多くのデータの中から目的とするデータを見つけられるようにする。【解決手段】キーパット１２において入力された数字情報に基づいて、検索条件生成部１７が、データ記憶部１４に記憶されている複数のデータを検索するための検索条件（例えば、日時に関する検索条件）を一つ以上生成し、画面１１に検索条件生成部１７により生成された検索条件を表示するとともに、キーパット１２がユーザから検索条件の指定を入力し、データ検索部１６が、ユーザにより指定された検索条件に合致するデータをデータ記憶部１４から検索して、検索結果を画面１１に表示させる。【選択図】図３
2007251470.tif 000002
【特許請求の範囲】
【請求項１】
複数のデータを格納するデータ格納装置であって、
数字を表す数字情報を入力する入力部と、
前記複数のデータを検索するための検索条件を、数字情報により表される数字に基づいて一つ以上生成する検索条件生成部と、
前記検索条件生成部により生成された検索条件を表示する表示部とを有することを特徴とするデータ格納装置。
【請求項２】
前記検索条件生成部は、
数字情報により表される数字に関連する日時の検索条件を一つ以上生成することを特徴とする請求項１に記載のデータ格納装置。
【請求項３】
前記入力部は、
期間の範囲を表す期間範囲情報を入力し、
前記検索条件生成部は、
数字情報により表される数字に関連する日時から期間範囲情報に表される期間の範囲を検索対象とする検索条件を一つ以上生成することを特徴とする請求項２に記載のデータ格納装置。
【請求項４】
前記入力部は、
数字以外の記号を表す記号情報を入力し、
前記検索条件生成部は、
数字情報により表される数字と記号情報に表される記号とを組み合わせて検索条件を一つ以上生成することを特徴とする請求項１に記載のデータ格納装置。
【請求項５】
前記データ格納装置は、更に、
前記検索条件生成部により検索条件が生成された後、前記表示部により検索条件が表示される前に、前記検索条件生成部により生成された検索条件ごとに、検索条件に合致するデータが格納されているか否かを判断するデータ検索部を有し、
前記検索条件生成部は、
前記データ検索部により合致するデータが格納されていないと判断された検索条件を、前記表示部が表示する検索条件から除外することを特徴とする請求項１に記載のデータ格納装置。
【請求項６】
数字を表す数字情報を入力する入力ステップと、
データ格納装置に格納されている複数のデータを検索するための検索条件を、数字情報により表される数字に基づいて一つ以上生成する検索条件生成ステップと、
前記検索条件生成ステップにより生成された検索条件を表示する表示ステップとを有することを特徴とする検索条件生成方法。
【請求項７】
数字を表す数字情報を入力する入力処理と、
データ格納装置に格納されている複数のデータを検索するための検索条件を、数字情報により表される数字に基づいて一つ以上生成する検索条件生成処理と、
前記検索条件生成処理により生成された検索条件を表示する表示処理とをコンピュータに実行させることを特徴とするプログラム。
【発明の詳細な説明】
【技術分野】
【０００１】
本発明は、例えば、携帯電話端末などの機器におけるデータ検索技術に関する。
【背景技術】
【０００２】
近年、携帯電話端末の高機能化に伴い、携帯電話端末やメモリカードに保存される電子メールや撮影画像など多くのデータが増加している。このような多くのデータの中から目的とするデータを見つけるには、検索文字列を入力し、その文字列が含まれるデータを検索するのが一般的である。しかし、一般的に携帯電話端末には数字のキーしかないため、検索文字列を入力するのはわずらわしい操作である。
また、日付や時刻によって検索を行う場合、何の条件で検索を行うのかをメニューなどで選択した後、規定のフォーマットで日付や時刻を入力する必要があり、操作が複雑であるという問題がある。
【０００３】
特開２００２−３４２３７３号公報には、予め文書に含まれる名詞句の全文検索インデックスとともに、その名詞句に含まれる単語のインデックスを作成しておき、単語が入力されるとその単語が含まれる名詞句を検索文字列としてユーザへ提案する方式が開示されている。
また、特開２００２−３２８７６７号公報には、検索文字列の各文字を「アイウエオ」、「カキクケコ」などに分類し、この分類に割り振られた数字の列を入力することによって、データを検索する方式が開示されている。
また、特開２００２−３２４０７７号公報には、検索対象文書を解析し、この検索対象文書に含まれる言葉を、文書絞り込みための文字列としてユーザへ提案する方式が開示されている。
また、携帯電話端末の待ち受け画面上で時刻を表す数字（例：０８２６１５００）を入力してから「スケジュール」ボタンを押すと、スケジュールの新規登録画面が表示される方式の携帯電話端末も存在する。
【特許文献１】特開２００２−３４２３７３号公報
【特許文献２】特開２００２−３２８７６７号公報
【特許文献３】特開２００２−３２４０７７号公報
【発明の開示】
【発明が解決しようとする課題】
【０００４】
従来の技術においては、数多くのデータから目的とするデータを見つけるために、数字キーしか持たない携帯電話端末上で検索文字列を入力するのは操作がわずらわしいという問題があった。
また、日付や時刻などで検索を行うには、何の条件で検索を行うのかをメニューなどで選択した後、規定のフォーマットで日付や時刻を入力する必要があり操作が複雑であるという問題があった。
【０００５】
この発明は、上記のような問題点を解決することを主な目的とし、携帯電話端末等においてユーザが数字キーだけを用いた簡易な操作で数多くのデータの中から目的とするデータを見つけられるようにすることを主な目的とする。
【課題を解決するための手段】
【０００６】
本発明に係るデータ格納装置は、
複数のデータを格納するデータ格納装置であって、
数字を表す数字情報を入力する入力部と、
前記複数のデータを検索するための検索条件を、数字情報により表される数字に基づいて一つ以上生成する検索条件生成部と、
前記検索条件生成部により生成された検索条件を表示する表示部とを有することを特徴とする。
【発明の効果】
【０００７】
本発明によれば、数字情報により表される数字に基づいて検索条件を生成するため、例えば、携帯電話端末のように数字キーが主な入力手段である装置においても、効率的に検索条件を生成することができる。
【発明を実施するための最良の形態】
【０００８】
実施の形態１．
図１〜図１１を使用して本実施の形態を説明する。
本実施の形態では、例えば携帯電話端末に保存された数多くの電子メールなどのデータの中からユーザが目的のデータを見つけ出す場合を想定している。
【０００９】
図２は、携帯電話端末１（データ格納装置）の概観の例を示したものである。携帯電話端末１は、画面１１やキーパット１２などを持つ。
キーパット１２には、上、下、左、右、選択、メニュー、電話帳、終話、クリア、発信、１〜９、０、＊、＃などのキーが含まれる。
【００１０】
図３は、この実施の形態における携帯電話端末１の構成例を示す図である。
携帯電話端末１は、画面１１、キーパット１２、携帯電話端末の全体的な動作を司るコントロール部１３、データを格納するデータ記憶部１４、データ記憶部に格納されたデータを検索するデータ検索部１６、データを検索するための検索条件を生成する検索条件生成部１７等を備える。
【００１１】
図３において、データ記憶部１４には、電子メールや撮影画像等の複数のデータが格納されている。
キーパット１２（入力部）は、数字を表す数字情報を入力する。
また、検索条件生成部１７は、データ記憶部１４に記憶されている複数のデータを検索するための検索条件を、数字情報により表される数字に基づいて一つ以上生成する。
また、検索条件生成部１７は、例えば、数字情報により表される数字に関連する日時の検索条件を一つ以上生成する。
また、キーパット１２が、期間の範囲を表す期間範囲情報を入力した場合に、検索条件生成部１７は、数字情報により表される数字に関連する日時から期間範囲情報に表される期間の範囲を検索対象とする検索条件を一つ以上生成することも可能である。
更に、キーパット１２が、数字以外の記号を表す記号情報を入力した場合に、検索条件生成部１７は、数字情報により表される数字と記号情報に表される記号とを組み合わせて検索条件を一つ以上生成することも可能である。
画面１１には、検索条件生成部１７により生成された検索条件が表示される。
データ検索部１６は、キーパット１２を介してユーザから入力された検索条件に合致するデータをデータ記憶部１４から検索して、検索結果を画面１１に表示させる。
【００１２】
つまり、本実施の形態では、キーパット１２において入力された数字情報に基づいて、検索条件生成部１７が、データ記憶部１４に記憶されている複数のデータを検索するための検索条件（例えば、日時に関する検索条件）を一つ以上生成し、画面１１に検索条件生成部１７により生成された検索条件を表示するとともに、キーパット１２がユーザから検索条件の指定を入力し、データ検索部１６が、ユーザにより指定された検索条件に合致するデータをデータ記憶部１４から検索して、検索結果を画面１１に表示させる。
このようにすることで、ユーザは、携帯電話端末等において数字キーだけを用いた簡易な操作で数多くのデータの中から目的とするデータを見つけられる。
【００１３】
図１は、この実施の形態における携帯電話端末１の画面表示の遷移例を表したものである。
この例ではユーザの操作によって「先月２６日」のデータを検索する場合の画面表示の遷移例を表している。
【００１４】
図４は、携帯電話端末１の全体的な動作フローチャートである。
以下、図１、図３、図４を参照しながら、動作を説明する。
【００１５】
図１において、画面Ｖ１は携帯電話端末１内のデータ記憶部１４に格納された電子メールデータの一覧を表示している。ここで、ユーザが目的とする電子メールデータに関係する数字のキーを押す。例えば、目的とする電子メールが「先月２６日」のものである場合、ユーザは「２６」の最初の「２」キーを押す。これによって、キーパット１２が数字情報を入力する（図４のＳ１０１（入力ステップ））。
すると携帯電話端末１のコントロール部１３は検索条件生成部１７へ指示し、検索条件生成部１７が、「２」という数字列から連想される検索条件からなる検索条件リストを生成する（Ｓ１０２（検索条件生成ステップ）。
例えば「２」が入力された場合、「２日前」、「今月２日」、「今年２月」などの検索条件を含むリストが生成される。検索条件リストを生成する手順の詳細については後述する。
【００１６】
次に、携帯電話端末１のコントロール部１３は、得られた検索条件リストを画面１１へ表示する（図１のＶ２、図４のＳ１０３（表示ステップ））。
複数の検索条件のうち、１つ（この例では「２日前（９／１７）」）にカーソルが当たっており、ユーザは上下左右キーで目的とする検索条件へカーソルを動かし、選択キーで選択することができる。
この例では、ユーザは「２６」のうちまだ１文字しか入力していないため、次に２文字目の「６」を入力する。キー入力があると（Ｓ１０４）、携帯電話端末１のコントロール部１３はそのキー種別をチェックする（Ｓ１０５）。
「上下左右」キーの場合、画面に表示された検索条件に当てられたカーソルを移動し（Ｓ１０６）、再びキー入力を待つ（Ｓ１０４）。「選択」キーの場合は、次のデータ検索処理（Ｓ１０７）に移る。「数字」キーの場合は、検索条件生成部１７が、先に入力されていた数字列に入力された数字を追加し、再び検索条件を抽出する（Ｓ１０２）。
この例では、先に入力されていた「２」に続き「６」が入力されたので、「２６」という数字列から連想される検索条件リストを生成し（Ｓ１０２（検索条件生成ステップ））、検索条件リストを表示する（図４のＳ１０３（表示ステップ）、図１のＶ３）。
目的とする「先月２６日」の検索条件が表示された（図１のＶ３）ので、ユーザは「上下左右」キーで検索条件「先月２６日」へカーソルを移動し（Ｓ１０６）、「選択」キーで選択を確定する（Ｓ１０４、Ｓ１０５）。
検索条件が選択されると、データ検索部１６は選択された検索条件によって、データ記憶部１４内に格納されたデータを検索する（Ｓ１０７）。
そして、その結果得られた検索結果を表示する（図４のＳ１０８、図１のＶ４）。
【００１７】
ここで、検索条件生成部１７が行う数値から連想される検索条件を生成する処理について、図５の動作シーケンス図を参照しながら説明する。
【００１８】
まず、検索条件生成部１７は、生成された検索条件を格納する検索条件リストを初期化する（Ｓ２０１）。
次に、検索条件生成部１７は、入力された数字列「日前」に関連する検索条件を生成し、生成結果を追加する（Ｓ２０２）。例えば、「２６」なら「２６日前」を検索条件リストへ追加する。ここで、検索条件リストへ検索条件を追加するとは、例えば、レジスタやメインメモリの所定領域に生成した検索条件を格納することをいう。
次に、検索条件生成部１７は、入力された数字列が曜日を表す１から７に該当するかチェックし（Ｓ２０３）、該当する場合は検索条件リストに曜日の検索条件を追加する（Ｓ２０４）。例えば月曜日を基準として、「２」であれば「火曜日」を検索条件リストへ追加する。
次に、検索条件生成部１７は、入力された数字列が日を表す１から３１に該当するかチェックし（Ｓ２０５）、該当する場合は検索条件リストに「日」の検索条件を追加する（Ｓ２０６）。例えば「２６」であれば「今月２６日」、「先月２６日」などを検索条件リストへ追加する。
次に、検索条件生成部１７は、入力された数字列が月を表す１から１２に該当するかチェックし（Ｓ２０７）、該当する場合は検索条件リストに「月」の検索条件を追加する（Ｓ２０８）。例えば「２」であれば「２ヶ月前」、「今年２月」、「昨年２月」などを検索条件リストへ追加する。
次に、検索条件生成部１７は、入力された数字列が「月日」を表すか否かチェックし（Ｓ２０９）、該当する場合は検索条件リストに「月」の検索条件を追加する（Ｓ２１０）。例えば「９２６」であれば「９月２６日」、「１２０９」であれば「１２月９日」などを検索条件リストへ追加する。
以上のように、検索条件生成部１７は、入力された数字列から連想される複数の検索条件からなる検索条件リストを生成する。
前記処理で数字列「２」から生成された検索条件リストの例を図６に、「２６」から生成された検索条件リストの例を図７に示す。尚、図は２００５年１０月９日にこの処理を行った場合の例を表している。
【００１９】
以上のように本実施の形態によれば、ユーザ入力した数字列から連想される複数の検索条件を携帯電話端末１がユーザへ提案する方式により、ユーザは検索条件を容易に入力し、データの検索を行うことができる。
【００２０】
また、ここでは連想される日時に関する検索条件として「日前」、「曜日」、「日」、「月」、「月日」を例に説明したが、その他の数値に関連する検索条件でもよい。
例えば、日時に関する検索条件として、「時」、「分」、「秒」、「年」やこれらの組合せでもよい。
また、データ記憶部１４内に格納されている電話帳の各エントリに付与された番号（メモリ番号）に該当する名前やメールアドレス等でもよい。
【００２１】
また、「９月２６日」のように期間を限定するだけでなく、「９月２６日以前」、「９月２６日以降」、「９月２６日前後１週間」等のような範囲を指定する検索条件としてもよい。
この場合は、キーパット１２により期間範囲を示す期間範囲情報を入力し、検索条件生成部１７は、数字情報と期間範囲情報を組み合わせて上記のような期間範囲を指定する検索条件を作成する。
期間範囲情報としては、「＊」や「＃」などの他のキーを用いて、付加的な条件を指定できるようにしてもよい。例えば、「＊」を「以前」、「＃」を「以降」とするルールとしておき、「２６＃」などと入力された場合は、検索条件生成部１７は、「９月２６日以降」などの検索条件を提案する。
【００２２】
また、前記の例では検索の結果、条件に合致データのみを表示するよう説明したが（図１のＶ４）、条件に合致するデータの先頭へスクロールして表示するようにしてもよい。
この場合の画面の例を、図８に示す。図１のＶ４では検索条件「９月２６日」に合致するデータのみを表示しているが、図８のＶ５では検索条件「９月２６日」に合致するデータが画面の先頭に表示されるようスクロール表示されているとともに、条件に合致しない他のデータも併せて表示されている。
【００２３】
実施の形態２．
実施の形態１に示した例では、検索条件生成部１７によって生成（Ｓ１０２）された検索条件リストを、そのまま表示（Ｓ１０３）としたが、該当するデータがデータ記憶部１４に存在する検索条件のみを表示するようにしてもよい。
つまり、データ検索部１６は、検索条件生成部１７により検索条件が生成された後、画面１１に検索条件が表示される前に、検索条件生成部１７により生成された検索条件ごとに、検索条件に合致するデータがデータ記憶部１４に格納されているか否かを判断し、検索条件生成部１７は、データ検索部１６により合致するデータが格納されていないと判断された検索条件を、画面１１に表示する検索条件リストから除外するようにしてもよい。
【００２４】
この場合の携帯電話端末１の動作シーケンスを図９に示す。
図４に対し、検索条件リスト生成処理（Ｓ１０２）の後に、仮データ検索処理（Ｓ１１０、Ｓ１１１）及び検索条件リストからの除外処理（Ｓ１１２）が加わっている。
仮データ検索処理（Ｓ１１０及びＳ１１１）では、検索条件リスト生成処理（Ｓ１０２）によって生成された検索条件リスト（例：図６、図７）に含まれる検索条件それぞれについて該当するデータがデータ記憶部１４にあるか否かチェックする。
そして、該当するデータがない場合、つまり合致するデータがデータ記憶部１４に格納されていない検索条件がある場合（Ｓ１１１でＹｅｓの場合）は、検索条件生成部１７は、検索条件リストからその検索条件を削除する（Ｓ１１２）。
例えば、図７において「２６日前」と「今年２月６日」に該当するデータがデータ記憶部１４にない場合の検索条件リストを図１０に示す。また、これをＳ１０３で画面１１に表示した場合の例を図１１に示す。このように合致するデータのない検索条件を表示しないようにすることで、ユーザはより容易に検索条件を選択することができる。
他の処理は、図４と同様なので説明を省略する。
【００２５】
このように、本実施の形態によれば、データ検索部１６が、検索条件生成部１７により検索条件が生成された後、画面１１に検索条件が表示される前に、検索条件生成部１７により生成された検索条件ごとに、検索条件に合致するデータがデータ記憶部１４に格納されているか否かを判断し、検索条件生成部１７は、データ検索部１６により合致するデータが格納されていないと判断された検索条件を、画面１１に表示する検索条件リストから除外する。
このため、データ記憶部１４にデータが存在しない検索条件を表示することがなく、データが存在しない検索条件をユーザが誤って選択するという無駄な操作を回避することができる。また、このような操作に要するＣＰＵ処理や、データが存在しない検索条件を表示するために要するメモリ消費を抑えることができ、ハードウェアリソースの有効活用を図ることができる。
【００２６】
最後に、実施の形態１及び実施の形態２に示した携帯電話端末１のハードウェア構成について説明する。
図１２は、実施の形態１及び実施の形態２に示した携帯電話端末１のハードウェア資源の一例を示す図である。
図１２において、携帯電話端末１は、プログラムを実行するＣＰＵ９１１（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサともいう）を備えている。ＣＰＵ９１１は、バス９１２を介して、例えば、ＲＯＭ（Ｒｅａｄ  Ｏｎｌｙ  Ｍｅｍｏｒｙ）９１３、ＲＡＭ（Ｒａｎｄｏｍ  Ａｃｃｅｓｓ  Ｍｅｍｏｒｙ）９１４、通信ボード９１５、表示装置９０１、キーパット９０２、磁気ディスク装置又はフラッシュメモリ９２０と接続され、これらのハードウェアデバイスを制御する。また、磁気ディスク装置又はフラッシュメモリ９２０の代わりに、光ディスク装置、メモリカード読み書き装置などの記憶装置でもよい。
ＲＡＭ９１４は、揮発性メモリの一例である。ＲＯＭ９１３、磁気ディスク装置又はフラッシュメモリ９２０の記憶媒体は、不揮発性メモリの一例である。これらは、データ記憶部の一例でもある。
通信ボード９１５は、例えば、ＲＦ回路である。
通信ボード９１５は、無線通信を実現する。通常の電話回線のほか、Ｂｌｕｅｔｏｏｔｈや無線ＬＡＮ（Ｌｏｃａｌ  Ａｒｅａ  Ｎｅｔｗｏｒｋ）といった近距離無線通信に対応していてもよい。
磁気ディスク装置又はフラッシュメモリ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００２７】
上記プログラム群９２３には、以上の説明において「〜部」、「〜手段」として説明した機能を実行するプログラムが記憶されている。プログラムは、ＣＰＵ９１１により読み出され実行される。
ファイル群９２４には、以上の説明において、「〜の生成結果」、「〜の計算結果」、「〜の処理結果」、「〜の検索結果」等として説明する情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリ、レジスタ、キャッシュメモリ、バッファメモリ等に一時的に記憶される。
また、上記にて説明したフローチャートの矢印の部分は主としてデータや信号の入出力を示し、データや信号値は、ＲＡＭ９１４、レジスタ、磁気ディスク装置又はフラッシュメモリ９２０、その他光ディスク等の記録媒体に記録される。また、データや信号は、バス９１２や信号線やケーブルその他の伝送媒体によりオンライン伝送される。
【００２８】
また、以上の説明において「〜部」、「〜手段」として説明するものは、「〜回路」、「〜装置」、「〜機器」、「手段」であってもよく、また、「〜ステップ」、「〜手順」、「〜処理」であってもよい。すなわち、「〜部」、「〜手段」として説明したものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、上記の「〜部」、「〜手段」としてコンピュータを機能させるものである。あるいは、上記の「〜部」、「〜手段」の手順や方法をコンピュータに実行させるものである。
【００２９】
尚、以上では携帯電話端末を例に説明したが、ＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔｓ）などの機器でもよい。
また、データとして電子メールを例に説明したが、保存日時をもつファイルや撮影日時を持つ画像など、数値に関する付帯情報を持つデータであればなんでもよい。
【図面の簡単な説明】
【００３０】
【図１】実施の形態１における携帯電話端末の画面表示の例である。
【図２】実施の形態１における携帯電話端末の概観の例である。
【図３】実施の形態１における携帯電話端末の構成図である。
【図４】実施の形態１における携帯電話端末の全体的な動作シーケンスである。
【図５】実施の形態１における数字列から連想される検索条件を生成する処理の動作シーケンスである。
【図６】実施の形態１における数字列「２」から生成された検索条件リストの例である。
【図７】実施の形態１における数字列「２６」から生成された検索条件リストの例である。
【図８】実施の形態１における検索されたデータへスクロール表示する場合の携帯電話端末の画面表示の例である。
【図９】実施の形態２における合致するデータが存在する検索条件のみ表示する場合の携帯電話端末の全体的な動作シーケンスである。
【図１０】実施の形態２における一部の検索条件に合致するデータがない場合の検索条件リストの例である。
【図１１】実施の形態２における一部の検索条件に合致するデータがない場合の画面表示の例である。
【図１２】実施の形態１及び実施の形態２に示した携帯電話端末のハードウェア構成例を示す図である。
【符号の説明】
【００３１】
１  携帯電話端末、１１  画面、１２  キーパット、１３  コントロール部、１４  データ記憶部、１６  データ検索部、１７  検索条件生成部。
【図１】
2007251470.tif 000003
【図２】
2007251470.tif 000004
【図３】
2007251470.tif 000005
【図４】
2007251470.tif 000006
【図５】
2007251470.tif 000007
【図６】
2007251470.tif 000008
【図７】
2007251470.tif 000009
【図８】
2007251470.tif 000010
【図９】
2007251470.tif 000011
【図１０】
2007251470.tif 000012
【図１１】
2007251470.tif 000013
【図１２】
2007251470.tif 000014